(57)【特許請求の範囲】
【請求項１】
コンテナのコーナーフィッティングの長孔に係止する係止治具であって、長手方向長さが前記長孔の長径より長い上板と、この上板の両側に前記長孔の幅より小さい幅で垂設された一対の側板とからなる治具本体の中央にロッドが回動自在に上下方向に貫通し、ロッドには治具本体の上部より上にチェーンを取り付けるためのチェーン取付具が回動自在に取り付けられ、ロッドの下端には長孔の幅より長い係止体が固定され、係止体とロッドとには、係止体を治具本体の内側から外側方向に回動させるように付勢されたコイルスプリングの両端がそれぞれ固定されていることを特徴とするコンテナのコーナーフィッティング係止治具。
【請求項２】
治具本体の内部に、係止体の回動を規制するストッパーが側板間に治具本体の長手方向に前後に設けられていることを特徴とする請求項１記載のコンテナのコーナーフィッティング係止治具。
【発明の詳細な説明】
【０００１】
【発明の属する技術分野】
本発明は、コンテナ上での高所作業の際に、安全ベルトを取り付けるためにコンテナのコーナーフィッティングの長孔２１に取り付けるためのコンテナのコーナーフィッティング係止治具に関する。
【０００２】
【従来の技術】
貨物を輸送するコンテナの取扱作業では、ツイストロック、ブリッジフィッティングを設置したりあるいは解除したりするために、作業者がコンテナの上に上がって作業する高所作業となり、転落を伴う危険な作業となる。
【０００３】
図４はコンテナの全体図及びコーナーフィッティングの拡大図で、鋼板により形成されたコンテナ２０の上部の四隅には、上面及び側面に長孔２１が穿設されたコーナーフィッティング２２が形成されている。
【０００４】
このような構成のコンテナ２０の上部で作業を行う際には、作業者がコンテナ２０の上から転落するのを防止するために、コンテナ上部の四隅に設けられているコーナーフィッティング２２の長孔２１にロープを直接結んで取り付け、このロープに安全帯を結合したり、あるいはコーナーフィッティング２２の長孔２１にスタンションを立て、これにロープを取り付け、このロープに安全帯を結合している。
【０００５】
【発明が解決しようとする課題】
しかしながら、コーナーフィッティングの長孔２１にロープを結んで取り付ける場合、長孔２１にロープを通して結ばなくてはならないために取り付けに手間が掛かり、また、結び目が緩んだりする場合があり、安全を十分に確保できないという問題がある。
【０００６】
また、スタンションを使用する場合は、スタンションの重量が重く、コンテナ上部へあるいは上部での持ち運びあるいはコーナーフィッティングへの設置の際に墜落する危険性がある。
【０００７】
そこで、本発明は、軽量且つコンパクトで容易に持ち運びができるとともに、コーナーフィッティングへの脱着が簡単にできる、コンテナのコーナーフィッティング係止治具を提供するものである。
【０００８】
【課題を解決するための手段】
本発明のコンテナのコーナーフィッティング係止治具は、コンテナのコーナーフィッティングの長孔に係止する係止治具であって、長手方向長さが前記長孔の長径より長い上板と、この上板の両側に前記長孔の幅より小さい幅で垂設された一対の側板とからなる治具本体の中央にロッドが回動自在に上下方向に貫通し、ロッドには治具本体の上部より上にチェーンを取り付けるためのチェーン取付具が回動自在に取り付けられ、ロッドの下端には長孔の幅より長い係止体が固定され、係止体とロッドとには、係止体を治具本体の内側から外側方向に回動させるように付勢されたコイルスプリングの両端がそれぞれ固定されていることを特徴とする。
【０００９】
治具本体の内部には、係止体の回動を規制するストッパーを側板間に治具本体の長手方向に前後に設けてもよい。
【００１０】
【発明の実施の形態】
図１は本発明のコーナーフィッティング係止治具の正面図、図２は同側面図、図３は同平面図で、治具本体１は、上板２とこの上板２から両側に平行に垂設した一対の側板３ａ，３ｂからなり、縦断面が門形に形成される。
【００１１】
上板１の長手方向の両端は側板３ａ，３ｂよりやや突出し、上板１の長手方向の長さは、コンテナのコーナーフィッティングの長孔２１の長径よりやや長くして上板２がコーナーフィッティングの長孔２１に被さるように支持されて長孔２１に入り込まない寸法、例えば、約１５ｃｍ程度とする。
【００１２】
治具本体１の幅は、治具本体１の側板３ａ，３ｂがコンテナのコーナーフィッティングの長孔２１に挿入できる寸法、例えば、約５ｃｍ程度とする。それぞれの側板３ａ，３ｂの半分の下方には、後述する係止体５が９０度回動するとともに、治具本体１内に収まるように、左右対称に切欠き部４ａ，４ｂが形成されている。
【００１３】
上板１の中心には、係止体５を下方に固定したロッド６が回動自在に上下方向に貫通し、ロッド６には、ロッド６を回転させるためのハンドル７がナット８及び座金９により固定されている。
【００１４】
また、ロッド６には、チェーンを取り付けるためのチェーン取付具として、チェーンホルダー１０が回動自在に取り付けられ、チェーンホルダー１０にはスイベル１１を介してチェーン１２が接続されている。チェーン１２には安全帯（図示せず）が係止される。
【００１５】
係止体５の長さは、コーナーフィッティングの長孔２１の幅よりやや長くして長孔２１に係止体５が係止される長さにする。
【００１６】
係止体５とロッド６との間には、コイルスプリング１３の両端がそれぞれ固定され、コイルスプリング１３は、ロッド６に取り付けられた座金９が上板に接しないようにロッド６を支持するとともに、ロッド６を回動させない状態では、上板２の長手方向と直交する方向に係止体５を保持し、係止体５をロッド６により治具本体１の内側へ９０度回動させると、係止体５を治具本体１の内側から外側に回動させて係止体５を回動させない状態に戻る方向に付勢する。
【００１７】
治具本体１の内部には、係止体５を治具本体１の内側に回動させた時に、係止体５が回動し過ぎないようにストッパー１４ａ，１４ｂが側板３ａ，３ｂ間に治具本体１の長手方向に前後に設けられている。
【００１８】
次に、本発明の係止治具の使用方法について説明する。
【００１９】
コンテナ上部で作業するにあたり、作業者は、本発明の係止治具のチェーンに安全帯のカラビナを引っかけたりして身体に保持し、梯子を登ってコンテナ上部に上がった後、係止治具をカラビナから外してコーナーフィッティングにセットする。本発明の係止治具は、軽量で且つコンパクトなので、容易に持ち運びができる。
【００２０】
本発明の係止治具をコーナーフィッティングにセットするには、まず、治具本体１を一方の手で持ち、他方の手でハンドル７を握ってロッド６を回転させて係止体５を治具本体１の内側に約９０度回動させて収納する。係止体５は、回動中にストッパー１４ａ，１４ｂに当たるので、回動が規制されて約９０度以上回動することはない。回動により治具本体１の側板３ａ，３ｂから突出していた係止体５の両端は、治具本体１の内側に収まるので、治具本体１をコーナーフィッティングの長孔２１に挿入する。
【００２１】
治具本体１の挿入終了後、ハンドル７を離すと、係止体５は、コイルスプリング１３の付勢力により治具本体内側から外側に長孔２１の長手方向と直交する方向に回動する。その結果、係止体５の長さは長孔２１の幅より長いので、係止体５の両端は長孔２１内で係止される。その後、安全帯のカラビナをチェーン１２に係止する。
【００２２】
【発明の効果】
本発明によるコーナーフィッティング係止治具は、軽量且つコンパクトに構成されているので、容易に持ち運びができる。また、係止板の回動により、コーナーフィッティングへの脱着が簡単にできる。
【図面の簡単な説明】
【図１】  本発明のコーナーフィッティング係止治具の正面図である。
【図２】  本発明のコーナーフィッティング係止治具の側面図である。
【図３】  本発明のコーナーフィッティング係止治具の平面図である。
【図４】  コンテナの全体図及びコーナーフィッティングの拡大図である。
【符号の説明】
１  治具本体
２  上板
３ａ，３ｂ  側板
４ａ，４ｂ  切欠き部
５  係止体
６  ロッド
７  ハンドル
８  ナット
９  座金
１０  チェーンホルダー
１１  スイベル
１２  チェーン
１３  コイルスプリング
１４ａ，１４ｂ  ストッパー
２０  コンテナ
２１  長孔
２２  コーナーフィッティング
【図１】
0004124527.tif 000002
【図２】
0004124527.tif 000003
【図３】
0004124527.tif 000004
【図４】
0004124527.tif 000005